(57)【要約】【課題】  明るい環境暗い環境に拘わらず瞬時に容易に水量を量ることができ、視認性も向上されていると共に量水標が簡単，容易に製作され、耐食性に優れ、長期使用に耐え得る丈夫なもので、河川・港湾等に容易に設置することができる河川・港湾用蓄光量水標を提供する。【解決手段】  量水標１がアルミ板２の表面に蓄光材３を塗布したアルミ複合板４により構成され、蓄光材の表面にブルーに表示する白抜き数字６と量水標の小単位長さの帯状の目盛り７，８とのステッカー５が帖着されると共に量水標の中単位長さ毎に赤色の反射シート９が帖着され、前記蓄光材は太陽光の吸収により夜間等暗い環境でグリーンに発光するようにした河川・港湾用蓄光量水標。【選択図】        図１
2005345403.tif 000002
【特許請求の範囲】
【請求項１】
表面に目盛りを付してなる量水標において、該量水標をアルミ板の表面に蓄光材を塗布したアルミ複合板により構成し、前記蓄光材の表面にブルーに表示する白抜き数字と量水標の小単位長さの帯状の目盛りとのステッカーを帖着すると共に量水標の中単位長さ毎に赤色の反射シートを帖着し、前記蓄光材は太陽光の吸収により夜間等暗い環境でグリーンに発光するようにしたことを特徴とする河川・港湾用蓄光量水標。
【発明の詳細な説明】
【技術分野】
【０００１】
本発明は、表面に目盛りを付してなる河川・港湾用量水標に関するものである。
【背景技術】
【０００２】
従来，河川・港湾用量水標において、量水標本体をアルミ板により構成し、目盛りと単位量水数字等の量水表示部を全面反射シートにより構成するものがある（例えば特許文献１参照。）。
【０００３】
【特許文献１】実開平７−３２５１２号公報
【発明の開示】
【発明が解決しようとする課題】
【０００４】
ところで、前記従来の技術では、夜間等暗い環境においてはライト等の光を全面反射シートに当てないと数字，目盛りが浮かび上がらず、水量の測量が簡単，容易にできなく視認性にも優れていない、という虞がある。
【０００５】
本発明は、従来の技術の有するこのような問題点に鑑みてなされたものであり、その目的とするところは、明るい環境暗い環境に拘わらず瞬時に容易に水量を量ることができ、視認性も向上されていると共に量水標が簡単，容易に製作され、耐食性に優れ、長期使用に耐え得る丈夫なもので、河川・港湾等に容易に設置することができる河川・港湾用蓄光量水標を提供しようとするものである。
【課題を解決するための手段】
【０００６】
上記目的を達成するために、本発明における河川・港湾用蓄光量水標は、量水標をアルミ板の表面に蓄光材を塗布したアルミ複合板により構成し、前記蓄光材の表面にブルーに表示する白抜き数字と量水標の小単位長さの帯状の目盛りとのステッカーを帖着すると共に量水標の中単位長さ毎に赤色の反射シートを帖着し、前記蓄光材は太陽光の吸収により夜間等暗い環境でグリーンに発光するようにしたことを特徴とするものである。
【発明の効果】
【０００７】
以上のように、量水標をアルミ板の表面に蓄光材を塗布したアルミ複合板により構成し、蓄光材の表面にブルーに表示する白抜き数字と量水標の小単位長さの帯状の目盛りとのステッカーを帖着すると共に量水標の中単位長さ毎に赤色の反射シートを帖着し、蓄光材は太陽光の吸収により夜間等暗い環境でグリーンに発光するようにしたので、簡単，容易に製作され、耐食性に優れ、長期使用に耐え得る丈夫なものとなり、河川・港湾等に容易に設置することができ、明るい環境暗い環境に拘わらず瞬時に容易に水量を量ることができ、視認性が向上された河川・港湾用蓄光量水標となる。
【発明を実施するための最良の形態】
【０００８】
図１ないし図５は本発明に係る河川・港湾用蓄光量水標の一実施例に関するもので、図１は蓄光量水標の正面図、図２は図１の一部拡大図、図３は図１のＡ−Ａ拡大断面図、図４は図１のＢ−Ｂ拡大断面図、図５は図１のＣ−Ｃ拡大断面図を示すものである。
【０００９】
図において、１は量水標であり、該量水標１はアルミ板２の表面に蓄光材３を塗布したアルミ複合板４により構成されている。
前記蓄光材３の材料は無機蓄光顔料を加工したもので、太陽の光を吸収して自ら発光するものであり、発光色はグリーンで、初期燐光輝度が高く残光時間もきわめて長いものとすることができる。
【００１０】
５は量水表示のステッカーであり、該ステッカー５は前記蓄光材３の表面にブルーに表示する白抜き数字６と量水標の小単位長さの帯状の目盛り７，８とで前記量水標１の全表面に帖着されている。前記白抜き数字６は例えば１から９まで１０ｃｍの単位で表示され、最下部にはＭの白抜き文字が表示されこの量水標１が１ｍ計であることを表している。また、前記小単位長さの帯状の目盛り７，８は白抜き数字６の左右両側に例えば１の数字の左側には２ｃｍ巾で帯状の目盛り７が１２ｃｍから１４ｃｍ及び１６ｃｍから１８ｃｍのところの２カ所に帖着され、１の数字の右側には１ｃｍ巾で帯状の目盛り８が１１ｃｍから１２ｃｍ及び１３ｃｍから１４ｃｍ及び１５ｃｍから１６ｃｍ及び１７ｃｍから１８ｃｍ及び１９ｃｍから２０ｃｍのところの５カ所に帖着されている。そして、２の数字の左側には１ｃｍ巾で帯状の目盛り８が２０ｃｍから２１ｃｍ及び２２ｃｍから２３ｃｍ及び２４ｃｍから２５ｃｍ及び２６ｃｍから２７ｃｍ及び２８ｃｍから２９ｃｍのところの５カ所に帖着され、２の数字の右側には２ｃｍ巾で帯状の目盛り７が２２ｃｍから２４ｃｍ及び２６ｃｍから２８ｃｍのところの２カ所に帖着し、１０ｃｍ単位で２ｃｍ巾の帯状の目盛り７と１ｃｍ巾の帯状の目盛り８とが左右交互に帖着されるようになっている。
【００１１】
また、前記白抜き数字６の各下部位には量水標１の中単位長さ毎（例えば１０ｃｍ）に例えば５ｍｍ巾の帯状の赤色の反射シート９，９，…が前記ステッカー５の表面に帖着されている。
【００１２】
以上のような構成からなる河川・港湾用蓄光量水標であって、アルミ板２の表面に蓄光材３を塗布し、量水表示のステッカー５と反射シート９，９，…とを帖着するだけで量水標１が簡単，容易に製作され、アルミ板２の表面に蓄光材３を塗布したアルミ複合板４を利用したので耐食性に優れ、長期使用に耐え得る丈夫な量水標１であり、河川・港湾等に該量水標１を容易に設置することができる。
【００１３】
そして、昼間等の明るい環境において水量は量水標１の白抜き数字６と該白抜き数字６の左右両側に設けた小単位長さのブルーの帯状の目盛り７，８とで瞬時に容易に値を出すことができる。また、白抜き数字６の各下部位に帖着した中単位長さ毎の帯状の赤色の反射シート９，９，…により視認性をさらに向上させることができる。
【００１４】
また、前記蓄光材３は太陽光の吸収により夜間等暗い環境でグリーンに発光するようにしたので、夜間には数字及び帯状の目盛りのステッカーでない部分がグリーンで表示されライト等を必要とせずに明るい環境時と同様に容易に水量を量ることができる。
【図面の簡単な説明】
【００１５】
【図１】本発明の実施例に係る河川・港湾用蓄光量水標の正面図である。
【図２】図１の一部拡大図である。
【図３】図１のＡ−Ａ拡大断面図である。
【図４】図１のＢ−Ｂ拡大断面図である。
【図５】図１のＣ−Ｃ拡大断面図である。
【符号の説明】
【００１６】
１              量水標
２              アルミ板
３              蓄光材
４              アルミ複合板
５              ステッカー
６              白抜き数字
７，８          小単位長さの帯状の目盛り
９              反射シート
【図１】
2005345403.tif 000003
【図２】
2005345403.tif 000004
【図３】
2005345403.tif 000005
【図４】
2005345403.tif 000006
【図５】
2005345403.tif 000007